(57)【特許請求の範囲】
【請求項１】
使用者が携帯して使用する電子機器において、
情報を記憶している記憶部を有する本体と、
前記本体を保持する本体保持部分と、前記本体保持部分を一端部に備えて前記使用者の前記身体の首に掛ける部分とを有し、前記本体を前記身体の首から掛けるためのストラップと、
前記本体の前記情報を前記使用者が聴取するための聴取部と、
前記記憶部の前記情報に関する各種操作をする入力装置とを備え、
前記聴取部と前記本体を電気的に接続する接続部と前記機器を動作させるためのバッテリが、前記ストラップに内蔵されており、
前記本体保持部分は、前記本体を保持するために第１保持位置と第２保持位置とに移動可能で、前記第１保持位置では、前記本体側の接触端子と前記本体保持部分側の端子バネとが非接触で、前記本体に対して前記バッテリからの電源供給を停止しており、前記第２保持位置では、前記本体側の接触端子と前記本体保持部分側の端子バネとが接触し、前記本体に対して前記バッテリからの電源供給を行う電源供給状態となり、
前記本体保持部分は、弾性部を有し、前記本体の一方の面と他方の面にはそれぞれ前記第１保持位置と前記第２保持位置に対応する凹部を有し、前記弾性部が前記第１保持位置に対応する凹部と前記第２保持位置に対応する凹部に嵌まり込むことで前記第１保持位置と前記第２保持位置を保つ電子機器。
【請求項２】
前記入力装置は、上記本体に形成されたスリット部分から外部に露出しており、
前記本体の自重により前記スリット部分および前記入力装置は、使用者の身長方向に沿ってほぼ平行となるように、前記本体の長手方向に対して所定の角度傾いて設けられている請求項１記載の電子機器。
【請求項３】
前記本体保持部分は、前記スリット部分より外部に露出する前記入力装置の中心線に沿って前記本体の上端部を保持する請求項２記載の電子機器。
【請求項４】
前記身体の首に掛ける部分の他端部は分割部を有し、前記分割部は、第１接続部分と、前記第１接続部分に対して着脱自在に接続される第２接続部分とを有する請求項１乃至請求項３のうち何れか１項に記載の電子機器。
【請求項５】
前記分割部の前記第１接続部分と前記第２接続部分は、磁力により着脱自在に接続されている請求項４に記載の電子機器。
【請求項６】
前記聴取部は、耳に装着するイヤーホンであり、前記ストラップには、前記聴取部の前記接続線を着脱自在に保持する接続線ホルダーを有する請求項１乃至請求項５のうち何れか１項に記載の電子機器。
【請求項７】
前記バッテリは、前記ストラップの長手方向に沿って内蔵されている請求項１乃至請求項６のうち何れか１項に記載の電子機器。
【発明の詳細な説明】
【０００１】
【発明の属する技術分野】
本発明は、使用者が携帯して使用する電子機器に関するものである。
【０００２】
【従来の技術】
使用者が携帯して使用する電子機器としては、テープ状の磁気記録媒体やディスク状の記録媒体に記録された情報を再生するような機器が市販されている。たとえばテープレコーダは、磁気テープに記録されたたとえば音楽情報を再生することにより音楽を楽しむことができる。光磁気ディスクの再生装置は、光磁気ディスクに記録されたたとえば音楽情報を再生することにより音楽を楽しむことができる。
【０００３】
【発明が解決しようとする課題】
しかし、この種の情報を再生する装置は、磁気テープや記録媒体の大きさよりも小さくすることはできず、重量も重いという欠点がある。またこの種の電子機器には、駆動させるためのバッテリを内蔵しており、この種の電子機器はたとえば使用者がベルトで体に装着したりあるいは手で持つ必要があるので、使用勝手があまり良くない。
そこで本発明は上記課題を解消し、携帯して使用する際に情報を簡単に聴取することができ小型化を図ることができる電子機器を提供することを目的としている。
【０００４】
【課題を解決するための手段】
請求項１の発明は、使用者が携帯して使用する電子機器において、情報を記憶している記憶部を有する本体と、前記本体を保持する本体保持部分と、前記本体保持部分を一端部に備えて前記使用者の前記身体の首に掛ける部分とを有し、前記本体を前記身体の首から掛けるためのストラップと、前記本体の前記情報を前記使用者が聴取するための聴取部と、前記記憶部の前記情報に関する各種操作をする入力装置とを備え、前記聴取部と前記本体を電気的に接続する接続部と、前記機器を動作させるためのバッテリが、前記ストラップに内蔵されていることを特徴とする電子機器である。請求項１では、本体は情報を記憶している記憶部を有している。ストラップは、本体を身体に保持する。聴取部は、本体の情報を使用者が聴取するためのものである。聴取部と本体は電気的に接続する接続部で接続されており、機器を動作させるためのバッテリとこの電気的に接続する接続部は、ストラップに内蔵されている。これにより、本体の小型化を図ることができ、聴取部と本体を電気的に接続する接続部と、機器を動作させるためのバッテリがストラップに内蔵されていることから、本体自体の小型化をさらに図ることができる。しかも電気的に接続する接続部とバッテリがストラップに内蔵されているので、使用者は本体、ストラップおよび聴取部を取り扱うことにより、使用者は本体を身体に保持して携帯しながら簡単に本体内の記憶部の情報を聞き取ることができる。
【０００５】
請求項１の発明は、前記本体は、前記記憶部の前記情報に関する各種操作をする入力装置を有する。請求項１では、使用者が入力装置を操作することにより記憶部の情報を再生することができる。これにより、入力装置を操作することで、記憶部の情報に関する各種操作を行うことができる。
【０００６】
請求項１の発明は、ストラップを用いて本体を身体の首から掛けることができ、使用者は携帯して使用することができる。
【０００７】
請求項１の発明は、前記ストラップは、前記本体を保持する本体保持部分と、前記本体保持部分を一端部に備えて前記使用者の前記身体の首に掛ける部分を有する。請求項１では、ストラップの本体保持部分が本体を保持する。ストラップの身体の首に掛ける部分は、本体保持部分の一端部を支持している。
【０００８】
請求項１の発明は、前記本体保持部分は、前記本体を保持するために第１保持位置と第２保持位置とに移動可能で、前記第１保持位置では、前記本体側の接触端子と前記本体保持部分側の端子バネとが非接触で、前記本体に対して前記バッテリからの電源供給を停止し、前記第２保持位置では、前記本体側の接触端子と前記本体保持部分側の端子バネとが接触し、前記本体に対して前記バッテリからの電源供給を行う電源供給状態を行う電子機器である。請求項１では、本体保持部分は本体を保持する際の第１保持位置において、本体に対してバッテリからの電源供給を停止する電源停止状態を維持している。第２保持位置では、本体に対してバッテリからの電源供給を行う電源供給状態を維持する。これにより、本体に対する電源供給のオンオフを、本体保持部分の第１と第２保持位置により簡単に設定することができる。従って、本体には従来用いられているようなスライドスイッチや押し込み型のスイッチを設ける必要がなく、本体の小型化を図ることができる。
【０００９】
請求項１の発明は、前記本体保持部分は、弾性部を有し、前記本体の一方の面と他方の面にはそれぞれ前記第１保持位置と前記第２保持位置に対応する凹部を有し、前記弾性部が前記第１保持位置に対応する凹部と前記第２保持位置に対応する凹部に嵌まり込むことで前記第１保持位置と前記第２保持位置を保つ。請求項１２では、ストラップの本体保持部分は弾性部を有し、本体の一方の面と他方の面にはそれぞれ凹部を有している。弾性部はこれらの凹部に嵌まり込むことで第１保持位置と第２保持位置を保つようになっている。
【００１０】
請求項２の発明は、前記入力装置が上記本体に形成されたスリット部分から外部に露出しており、前記本体の自重により前記スリット部分および前記入力装置は、使用者の身長方向に沿ってほぼ平行となるように、前記本体の長手方向に対して所定の角度傾いて設けられている。従って、請求項２では、前記入力装置で操作を行い易くなる。
【００１１】
請求項３の発明は、前記本体保持部分が、前記スリット部分より外部に露出する前記入力装置の中心線に沿って前記本体の上端部を保持する。
【００１２】
請求項４の発明は、前記身体の首に掛ける部分の他端部は分割部を有し、前記分割部は、第１接続部分と、前記第１接続部分に対して着脱自在に接続される第２接続部分とを有する。請求項４では、身体の首に掛ける部分の他端部が分割部を有している。この分割部は第１接続部分と第２接続部分を有しており、第１接続部分と第２接続部分を着脱自在に接続することにより、本体をストラップを用いて身体の首に掛けて携帯して使用することができる。
【００１３】
請求項５の発明は、前記分割部の前記第１接続部分と前記第２接続部分が、磁力により着脱自在に接続されている。請求項５では、第１接続部分と第２接続部分の着脱可能な保持は、磁力により行うことができ、構造が簡単でありかつ確実な接続保持を行える。
【００１４】
請求項６の発明は、前記聴取部は、耳に装着するイヤーホンであり、前記ストラップには、前記聴取部の前記接続線を着脱自在に保持する接続線ホルダーを有する。請求項６では、聴取部はイヤーホンであり、ストラップにはこの聴取部の接続線を着脱可能に保持する接続線ホルダーが設けられている。これにより使用者が聴取部を使用しない時には、聴取部がストラップに対して確実に保持することができ、使用しない時の取り扱いを容易にする。
【００１５】
請求項７の発明は、前記バッテリは、前記ストラップの長手方向に沿って内蔵されている。請求項７では、バッテリがストラップの長手方向に沿って内蔵されていることから、バッテリが外部にさらされることがなくストラップによりバッテリを保護することができる。しかも、バッテリの長さをストラップの長手方向に沿って調整することにより、バッテリ容量の調整を行うことができる。
【００１７】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
図１は、本発明の電子機器１０の一例を示している。この電子機器１０は、携帯型の情報聴取装置等とも呼ばれている。
この電子機器１０は、概略的には本体１００、保持部１０１、聴取部１０２等を有している。
本体１００は、たとえば音楽情報のような情報を記憶している半導体素子の記憶部を有しており、非常に小型のものである。
保持部１０１は、本体１００を、たとえば図１に示すように使用者Ｈの首ＨＳから掛けて保持しながら携帯できるようにするものである。保持部１０１からは聴取部１０２，１０２が導かれており、聴取部１０２，１０２を用いて使用者Ｈの耳Ｅにおいて、本体１００内の記憶部に記憶されているたとえば音楽情報を聞き取ることができるものである。
【００１９】
図２は、図１の電子機器１０を拡大して示している。
電子機器１０の本体１００は、たとえば非常に薄い長方形状の筐体１２を有している。この筐体１２には入力装置１８を有している。この入力装置１８は、筐体１２のスリット部分４０から外部に露出しており、使用者が指Ｆにより直接触れることができる。
スリット部分４０と入力装置１８の方向Ｘ１，Ｘ２は、筐体１２の長手方向１２Ｐに対して所定の角度θ傾いている。これにより、図１と図２のように本体１００が保持部１０１により吊り下げられた状態では、本体１００の自重によりスリット部分４０および入力装置１８は、使用者の身長方向に沿ってほぼ平行であり、使用者は指Ｆで入力装置１８をＸ１あるいはＸ２に沿って操作し易くなっている。
【００２０】
図２の保持部１０１は、本体保持部分１０３と、図１の使用者Ｈの身体Ｂの首ＨＳに掛ける部分１０４を有している。図２に示す保持部１０１は、いわゆるストラップ状のものであり、本体１００の本体保持部分１０３は、本体１００の上端部を保持する部分である。
首に掛ける部分１０４は、一端部１０４Ａと他端部１０４Ｂを有している。一端部１０４Ａは本体保持部分１０３に連結されている。他端部１０４Ｂは、分割部１０５となっており、この分割部１０５は、第１接続部分１０６と第２接続部分１０７を有している。第１接続部分１０６と第２接続部分１０７は、たとえば磁気の力により、着脱可能に接続されている。
【００２１】
図２の保持部１０１は、センターラインＣＬを中心としてほぼ左右対称形状を有している。首に掛ける部分１０４は、チューブ１０４Ａ〜１０４Ｄを有している。このチューブ１０４Ａ〜１０４Ｄの中には、後で説明する必要な要素を内蔵している。
チューブ１０４Ａの途中には、ブッシュ１０８が設けられており、このブッシュ１０８を介して、聴取部１０２がチューブの中から外に導出されている。同様にしてチューブ１０４Ｂの途中のブッシュ１０８Ａからは、別の聴取部１０２がチューブの中から外に導出されている。聴取部１０２は、それぞれイヤーホンを有しており、片方のイヤーホンＥＲは、使用者の右の耳Ｅにはめ込まれる。もう１つの左側のイヤーホンＥＬは使用者の左側の耳Ｅにはめ込まれるようになっている。
【００２２】
図２のチューブ１０４Ａ，１０４Ｂは湾曲しており、チューブ１０４Ｃ，１０４Ｄは逆方向に湾曲している。チューブ１０４Ａ，１０４Ｃは接続チューブ１０４Ｒで接続され、チューブ１０４Ｂ，１０４Ｄは接続チューブ１０４Ｌで接続されている。
チューブ１０４Ｃ，１０４Ｄの途中には、接続線ホルダー１０９，１０９Ａがそれぞれ設けられている。接続線ホルダー１０９，１０９Ａは、たとえばイヤーホンＥＲ，ＥＬの接続線１０２Ａ，１０２Ｂの途中部分を着脱可能に嵌め込むことができるものである。これにより、イヤーホンＥＲ，ＥＬを使用しない時には、イヤーホンＥＲ，ＥＬは保持部１０１に対して一体化することができ、使用者による保持部１０１の取り扱い性を向上できる。
【００２３】
図３は、本体１００と、本体保持部分１０３を示している。本体１００には入力装置１８およびスリット部分４０が設けられている。
【００２４】
図４は、図２のブッシュ１０８，１０８Ａの付近の構造例を示している。イヤーホンＥＲ，ＥＬの電気的な接続線１０２Ａ，１０２Ｂは、ブッシュ１０８あるいは１０８Ａを介して、首に掛ける部分１０４のチューブ１０４Ａあるいは１０４Ｂの中に導入されている。そしてこの接続線１０２Ａ，１０２Ｂは、図２のチューブ１０４Ａ，１０４Ｂ，１０４Ｃ，１０４Ｄの中を通り、図２の本体保持部分１０３および本体１００側に導かれており、接続線１０２Ａ，１０２Ｂは、本体保持部分１０３を介して本体１００側に電気的に接続されている。
【００２５】
図５（Ａ)(Ｂ)(Ｃ）は、図２の接続線ホルダー１０９，１０９Ａの一例を示している。接続線ホルダー１０９，１０９Ａは穴１０９Ｈと溝１０９Ｊを有している。穴１０９Ｈにはチューブ１０４Ｃあるいは１０４Ｄが通っている。溝１０９Ｊには、イヤーホンＥＲの接続線１０２ＡあるいはイヤーホンＥＬの接続線１０２Ｂを着脱可能に嵌め込むことができる。このようにすることで、イヤーホンＥＲとＥＬを使用しない時には、イヤーホンＥＲおよびＥＬを接続線１０２Ａ，１０２Ｂおよび接続線ホルダー１０９，１０９Ａを用いて、保持部１０１側に沿って、確実に保持することができる。このために使用者による保持部１０１の取り扱い性を高めることができる。
【００２６】
図６（Ａ）は、図２のチューブ１０４ＡのＡ１−Ａ１線における内部の断面構造を示しており、図６（Ｂ）は、図２のチューブ１０４ＢのＡ２−Ａ２線における断面構造を示している。
チューブ１０４Ａ，１０４Ｂは、たとえば熱収縮形のエラストマーのチューブであり、たとえばポリ塩化ビニル系、ＰＥＴ（ポリエチレンテレフタレート）、ポリオレフィン系のＥＶＡ（エチレン酢酸ビニル共重合体）により作られている。
【００２７】
図６（Ａ)(Ｂ）のように、このチューブ１０４Ａの中には、保護体９５０が包むようにして内蔵されており、保護体９５０の中にはバッテリ９００と、オーディオ用の接続線１０２Ａと、情報交換端子部用の接続線６０２が内蔵されている。この保護体９５０は接続線１０２Ａ，６０２、バッテリ９００を外部より保護する部材であり、たとえばある程度の剛性を有する材料である樹脂やエラストマーあるいはステンレス鋼やリン青銅、鉄板によりほぼ断面Ｃ字形に作られている。
【００２８】
このようにすることで、バッテリや接続線が折れてしまうのを防止する。チューブは保護体よりも大きい断面積を有するものを使用することで、チューブ内に保護体や接続線やバッテリを組立の際に挿入しやすくして、組立性を良くしている。
また、保護体はほぼ断面Ｃ字型なので、保護体９５０の溝（分割部分）９５０Ａを通じてバッテリや接続線を入れ易い。
図６（Ｂ）のチューブ１０４Ｂ内には接続線６０２は内蔵されていない。
【００２９】
図７（Ａ）は図２のチューブ１０４ＣのＢ１−Ｂ１線における内部の断面構造を示しており、図７（Ｂ）は図２のチューブ１０４ＤのＢ２−Ｂ２線における内部の断面構造を示している。
チューブ１０４Ｃ，１０４Ｄもチューブ１０４Ａ，１０４Ｂと同じものであり、それらの中には保護体９５０、バッテリ９００とオーディオ用の接続線１０２Ａあるいは１０２Ｂが内蔵されている。しかし、図６（Ａ)(Ｂ）のチューブ１０４Ａ，１０４Ｂとは異なり、接続線６０２とバッテリ９００は内蔵されていない。
【００３０】
図２に示すように、保持部１０１においてバッテリ９００が内蔵されている領域は、チューブ１０４Ａ，１０４Ｂの領域ＢＲである。チューブ１０４Ｃ，１０４Ｄにはバッテリ９００は内蔵されていないが、バッテリの容量によってはチューブ１０４Ａ〜１０４Ｄのいずれにも内蔵してもよい。
【００３１】
図８と図９は、図２の保持部１０１の分割部１０５の例を示している。
分割部１０５は、第１接続部分１０６と第２接続部分１０７を着脱可能に接続できるものである。すなわち、第１接続部分１０６と第２接続部分１０７は、ほぼ左右対称形状であるが、第１接続部分１０６にはマグネット１０６Ａを有しており、これに対して第２接続部分１０７には鉄板１０７Ａを有している。
これにより、第１接続部分１０６と第２接続部分１０７は、マグネット１０６Ａと鉄板１０７Ａを用いて、磁気的吸引力により着脱可能に保持することができる。しかし、第２接続部分１０７の鉄板１０７Ａはマグネットであってもよいし、第１接続部分１０６のマグネット１０６Ａは鉄板でもよい。
【００３２】
たとえば、使用者が第１接続部分１０６と第２接続部分１０７をマグネット１０６Ａの磁力に抗して引き離すことにより、図２の保持部１０１は図１に示すように首に掛けた状態で再び第１接続部分１０６と第２接続部分１０７を接続することで本体１００を首から掛けるようにして保持することができる。
逆に保持部１０１を首から外す時には、使用者が第１接続部分１０６と第２接続部分１０７をマグネット１０６Ａの力に抗して離す。このマグネット１０６Ａの磁力は、たとえば使用者が電子機器１０を携帯して使用する際に振動が加わっても外れない程度のものである。
【００３３】
図１０は、図９の第１接続部分１０６の内部構造例を示しており、図１１は第２接続部分１０７の端面の図である。図１２は、図１０の第１接続部分１０６のＮ方向から見た端面図である。
図１０と図１２を参照すると、第１接続部分１０６は、上述した吸引用のマグネット１０６Ａを有しており、その下には情報交換端子部６００が設けられている。情報交換端子部６００は、第１接続部分１０６の端面からは突出しており、図１７に示す第２接続部分１０７の受け部６０１に嵌まり込むようになっている。
情報交換端子部６００は、たとえばいわゆるＵＳＢ（Ｕｎｉｖｅｒｓａｌ  Ｓｅｒｉａｌ  Ｂｕｓ）を用いることができる。このＵＳＢは、米国のインテル社と米国のマイクロソフト社等７社が協同して発表したパーソナルコンピュータ用のインターフェース規格である。
図１０に示すように情報交換端子部６００の電気接続用の接続線６０２は、チューブ１０４Ａの中を通っている。図１０のチューブ１０４Ａには、情報交換端子部用の接続線６０２、バッテリ９００、保護体９５０が内蔵されている。バッテリ９００と接続線６０２は保護体９５０により囲まれて保護されている。
図１１の第２接続部分１０７の端面には、鉄板１０７ＡがたとえばほぼＵ字型に設けられている。
【００３４】
次に、図１３と図１４等を参照して、図２の本体１００の構造例について説明する。
図２と図３に示す本体１００は薄くて非常に小さなものである。この本体１００の大きさは、図１と図２のたとえばイヤーホンＥＲやＥＬと比較すればよく分かる。
本体１００は、図１３に示すような断面構造を有している。図１４は図１３の部分Ｃを拡大して示しており、図１５は、図１３の本体１００のシート状のスイッチ部１４０を中心として拡大して示している。
【００３５】
図１３〜図１５に示す電子機器の本体１００は、たとえば小型の情報再生装置であり、本体１００は筐体１２を有している。この筐体１２は、たとえば上部筐体部分１４と、下部筐体部分１６を有しており、上部筐体部分１４と下部筐体部分１６を組み立てることで筐体１２を構成している。
上部筐体部分１４はキャビネット上部とも呼んでおり、下部筐体部分１６はキャビネット下部とも呼んでいる。
上部筐体部分１４側は、情報を入力するための装置である入力装置１８を備えている。
入力装置１８は、本体１００の中に内蔵されている各種要素に対して外部から使用者Ｈが必要な情報を入力できる部分であり、図１５に示すように一例として複数のキートップ３０，３１，３２，３３，３４が等間隔をおいて直列に配列されている。
【００３６】
図１３に示すように、上部筐体部分１４と下部筐体部分１６は、ほぼ長方形状の成形された部材であり、図２に示すように外側部１２０と内側部１３０を積層することにより２重構造体として構成されている。これらの外側部１２０と内側部１３０は、接着層により貼り付けて一体化されている。
外側部１２０と内側部１３０は、放熱性および加工性の優れた金属板、たとえばアルミニウム板を用いて成形されている。しかし外側部１２０と内側部１３０は、アルミニウム板に限らず、マグネシウム合金、ＳＵＳ（ステンレス鋼）、銅系材料、鉄系材料を採用することもできる。
【００３７】
接着層としては、外側部１２０と内側部１３０を確実に接着するために、たとえば酢酸ビニル、塩化ビニル−酢酸ビニル系、ポリビニルアルコール系、アクリルエマルジョン系、ゴム系等の溶剤揮散タイプ、フェノール、ウレタン、レゾルシノール、エポキシ、アクリル、ポリエステル、シアノアクリレート、この他の混合系等の化学反応タイプ、エチレン−酢酸ビニル系、ポリアミド、ポリエステル、ポリイソブチレン等の熱溶融タイプの中から、特性にあったものを採用することができる。
【００３８】
外側部１２０はアウター部材とも呼んでおり、外部の体裁面を形成して、外観的に意匠的に見ばえを良くするための部分である。内側部１３０はインナー部とも呼んでおり、主に内蔵する電気的な構成要素を保護する部分である。
外側部１２０は、上部筐体部分１４の部分１４Ａと下部筐体部分１６の部分１６Ａから構成されている。内側部１３０は、上部筐体部分１４の部分１４Ｂと下部筐体部分１６の部分１６Ｂから構成されている。内側部１３０は外側部１２０の内側に接着剤等を介して固定されている２層構造のものである。
【００３９】
図１５に示すように上部筐体部分１４のスリット部分４０には、シート状のスイッチ部１４０が配置されている。このシート状のスイッチ部１４０は、図１５と図１７に示すように、５つのキートップ３０，３１，３２，３３，３４を有している。このキートップ３０，３１，３２，３３，３４は、使用者が指で触れる部分であるが、これらのキートップ３０〜３４には、それぞれスイッチ接点部５０，５１，５２，５３，５４が設けられている。
【００４０】
シート状のスイッチ部１４０の構造は、図１５と図１６に示すように、上シート１４１、下シート１４２、スペーサ１４３を有している。上シート１４１と下シート１４２は、絶縁性を有する、たとえばＰＥＴ（ポリエチレンテレフタレート）、ＰＩ（ポリイミド）、ＰＡ（ポリアミド）、ＰＥＳ（ポリエーテルスルホン）、ＬＣＰ（液晶ポリマー）等により作られており、スペーサ１４３は、ＰＥＴ（ポリエチレンテレフタレート）、ＰＩ（ポリイミド）、ＰＡ（ポリアミド）、ＰＥＳ（ポリエーテルスルホン）、ＬＣＰ（液晶ポリマー）等により作られている。
【００４１】
上シート１４１、下シート１４２およびスペーサ１４３は、いずれも弾性変形可能なものである。上シート１４１と下シート１４２の間には、上述したスイッチ接点部５０，５１，５２，５３，５４が設けられている。これらのスイッチ接点部５０，５１，５２，５３，５４は、スペーサ１４３により電気的に離して設けられている。
スイッチ接点部５０〜５４の構造は図１６に示すように同じであるが、たとえばスイッチ接点部５４は、電極１５０ともう一方の電極１５１から構成されている。たとえばキートップ３４が使用者の指に押されることにより、電極１５０，１５１が電気的に接触することで、スイッチ接点部５４がオンになる。スイッチ接点部５０〜５３についてもスイッチ接点部５４と同様な構造である。図１３の回路基板１７０は、筐体１２の内部に固定されている。
【００４２】
図１４は、図１３の部分Ｃを拡大して示している。
上部筐体部分１４の部分１４Ａと下部筐体部分１６の部分１６Ａは、密着して重なり合っている。これに対して部分１４Ｂと部分１６Ｂは、嵌合部６３０で嵌合されている。すなわち部分１４Ｂのつめうけ部１４Ｔには、部分１６Ｂのつめ部１６Ｕが嵌まり込むことにより、上部筐体部分１４と下部筐体部分１６が外れないようになっている。
【００４３】
次に、上部筐体部分１４と下部筐体部分１６の形状についてさらに説明する。
図１８〜図２１は、上部筐体部分１４を示しており、図２２〜図２４は下部筐体部分１６を示している。
上部筐体部分１４にはスリット部分４０が形成されている。このスリット部分４０は長い楕円形状のものである。
図２１に示すように、上部筐体部分１４はつめうけ部１４Ｔが４箇所に設けられている。また図１９と図１８に示すように、上部筐体部分１４の端部には、図２の本体保持部分１０３を取り付けるための取付部６５０が設けられている。この取付部６５０は２つのレール部６５４と、第１凹部６５６、第２凹部６５８を有している。レール部６５４は平行になっており、２つのレール部６５４の間に、第１凹部６５６と第２凹部６５８が設けられている。第１凹部６５６は第２凹部６５８に比べて、端部から近い位置にある
【００４４】
これに対して、図２２の下部筐体部分１６は、４つのつめ部１６Ｕを有している。これらのつめ部１６Ｕは、図１９の４つのつめうけ部１４Ｔに嵌まり込むことにより、上部筐体部分１４と下部筐体部分１６が外れないように一体的に保持することができる。
下部筐体部分１６にも、その端部に取付部６７０が設けられている。取付部６７０は、取付部６５０と同様に、２つのレール部６７４と第１凹部６７６と第２凹部６７８を有している。
【００４５】
図１９の上部筐体部分１４と図２２の下部筐体部分１６を組み立てた状態では、レール部６５４，６５４とレール部６７４，６７４は対応する位置にあり、同様にして第１凹部６５６と６７６も対応する位置にあり、そして第２凹部６５８と６７８も対応する位置にある。取付部６５０，６７０は、図３の本体保持部分１０３を取り付けるためのものである。
【００４６】
図１５に戻ると、シート状のスイッチ部１４０は、電気接続部１９０を介して回路基板１７０に電気的に接続されている。
図２５には、図１５に示すシート状のスイッチ部１４０の上シート１４１と、電気接続部１９０および回路基板１７０の構造と電気配線例を示している。
上シート１４１のスイッチ接点部５０〜５４の各電極１５０は、それぞれ電気配線部２００，２０１，２０２，２０３，２０４に接続されている。これらの電気配線部２００，２０１，２０２，２０３，２０４は、上シート１４１の内面１４１Ａ側に一列に配列されている。
これに対して回路基板１７０の上側１７０Ａには、電気配線部３００，３０１，３０２，３０３，３０４が並べて形成されている。これらの電気配線部３００〜３０４は、たとえばマイクロコンピュータ８０に接続されている。
【００４７】
電気接続部１９０は、筐体１２の上部筐体部分１４と下部筐体部分１６を組み立てる際に、上シート１４１の電気配線部２００〜２０４と、回路基板１７０の電気配線部３００〜３０４を圧着することにより電気的に接続する機能を有している。
電気接続部１９０は、図２５と図２６に示すように複数の導電体２６０，２６１，２６２，２６３，２６４と、これらの導電体２００〜２０４を包囲する絶縁体２８０を有している。
絶縁体２８０は、弾性変形機能を有しており、たとえばシリコーンゴム、シリコーンスポンジゴムにより作られている。
導電体２６０は、対応する位置の電気配線部２００〜２０４と電気配線部３００〜３０４を電気的に接続するためのものであり、たとえば表面Ａｕメッキ処理した真鍮線やカーボン系導電繊維により作られている。図２５と図２６の例では、導電体２６０はピン形状のものであり、絶縁体２８０は直方体形のブロック体である。
図２６に示すように電気接続部１９０は、内側部１３０の部分１４Ｂに形成された穴１４Ｄを通るようにして、上シート１４１の電気配線部と回路基板１７０の電気配線部を電気的に接続する機能を有している。
【００４８】
次に、上述した本体１００の入力装置１８の製造方法（組立方法）の一例について説明する。
図２に示すシート状のスイッチ部１４０は、上部筐体部分１４の部分１４Ｂに位置決めされる。しかもシート状のスイッチ部１４０の上シート１４１は、両面テープを用いた接着あるいは圧入もしくはかん入により固定される。
上シート１４１のキートップ３０〜３４は、スリット部分４０から外部に露出している。
【００４９】
次に、シート状のスイッチ部１４０を有する上部筐体部分１４と、回路基板１７０を有する下部筐体部分１６が、たとえば嵌合により一体化して組み立てられる。
この時に、電気接続部１９０は、上シート１４１の内面と回路基板１７０の上面の間に挟み込まれることで、図２５に示す電気接続部１９０の絶縁体２８０が弾性変形する。これによって、図２５の電気接続部１９０の導電体２６０，２６１，２６２，２６３が、上シート１４１の電気配線部２００，２０１，２０２，２０３，２０４を、対応する回路基板１７０の電気配線部３００，３０１，３０２，３０３，３０４に対してそれぞれ電気的に接続する。すなわち、導電体２６０の一端部が電気配線部２００に電気的に接続し、導電体２６０の他端部が回路基板１７０の電気配線部３００に電気的に接続される。同様にして、導電体２６１の一端部が電気配線部２０１に接続し、導電体２６１の他端部が電気配線部３０１に接続される。導電体２６２の一端部が電気配線部２０２に接続し、導電体２６２の他端部が電気配線部３０２に接続される。導電体２６３の一端部が電気配線部２０３に接続し、導電体２６３の他端部が電気配線部３０３に接続される。導電体２６４の一端部が電気配線部２０４に接続し、導電体２６４の他端部が電気配線部３０４に接続される。
【００５０】
このように図２の上部筐体部分１４と下部筐体部分１６を組み立てる際に、図６と図７の絶縁体２８０が弾性変形することで、導電体２６０〜２６４の一端部と他端部が絶縁体２８０から露出し、対応する電気配線部２００〜２０４と電気配線部３００〜３０４を確実に電気的に接続することができる。
たとえば図１の使用者Ｈが指Ｆで図２のシート状のスイッチ部１４０の任意のキートップ３０〜３４のいずれか１つあるいは２つ以上に触ることにより、対応するスイッチ接点部５０〜５４のいずれか１つまたは２つ以上がオンになる。このようなオン操作は、図２５の電気接続部１９０の導電体２６０〜２６４を介して、回路基板１７０のマイクロコンピュータ８０に伝えられることになる。
【００５１】
次に、図２と図３の本体保持部分１０３と本体１００の取り付け構造について説明する。
図２７〜図２９は、本体保持部分１０３と本体１００を示している。本体保持部分１０３は、本体１００に対する電気的なコネクタおよびスイッチ機能をも有している。図３０（Ａ）、（Ｂ）は、本体保持部分１０３を拡大して示している。この本体保持部分１０３はコネクタ部とも呼んでおり、図３１と図３２に示すような内部構造を有している。
【００５２】
図３０〜図３２に示すように、本体保持部分１０３は、連結部７００とブッシュ７１０を有しており、図３１のように連結部７００の中には複数の端子バネ７３０、２つのレール用リブ７４０および逆挿入防止用の壁７５０を有している。
端子バネ７３０は所定数複数並べて配列されており、連結部７００の中心線７６０に対して角度θ１だけ傾いて配列されている。
連結部７００のレール用のリブ７４０は、図１９の取付部６５０のレール部６５４，６５４と図２２の取付部６７０のレール部６７４，６７４に案内される部分である。レール用のリブ７４０は、図２７と図２８に示すように、本体保持部分１０３が入力装置１８の中心線１８Ｐに沿って取り付けられるようにするために、レール用のリブ７４０は連結部７００の中心線７６０に対して所定角度θ１だけ傾斜している。
図３１の逆挿入防止用の壁７５０は、図３１の連結部７００が図２９の本体１００の図１９と図２２に示す取付部６７０に対して逆方向に挿入されるのを防ぐための壁である。
各端子バネ７３０の付近には、クランプ用の板バネ７７０が設けられている。
【００５３】
図３１の各端子バネ７３０に対しては、図３１に示すように、各種の付属用の接続線６０２，１０２Ａ，１０２Ｂやバッテリ９００用の接続線９９０が電気的に接続されている。チューブ１０４Ｃとチューブ１０４Ｄは、たとえば熱収縮チューブを用いている。チューブ１０４Ｃの中には、図１２に示す情報交換端子部６００用の接続線６０２の基準電圧Ｖｃ端子線、マイナス（−）端子線、プラス（＋）端子線、ＧＮＤ（グランド）端子線、そしてオーディオ用の接続線１０２Ａ用のＲ（右）端子線、ＧＮＤ端子線が内蔵されている。
一方チューブ１０４Ｄの中には、オーディオ用の接続線１０２ＢのＧＮＤ線およびＬ（左）端子線が内蔵されている。
尚、バッテリ９００としては、たとえば帯状又は線状のリチウムポリマー電池、リチウムイオン電池、あるいは固体ポリマー電池等を採用することができる。
【００５４】
図３３と図３４は、図２７のＲ−Ｒ線における断面図であり、図３１の連結部７００が本体１００の取付部６５０，６７０側に対して保持された様子を示している。
図３３は本体１００が連結部７００に対して第１保持位置ＰＬ１で保持された様子を示し、図３４は第２保持位置ＰＬ２に保持された様子を示している。
本体１００の端部には、図３３と図３４および図３５、図３６に示すようなレセプタクル８５０が取り付けられている。このレセプタクル８５０は、複数の端子バネ７３０に対応する数の接触端子１０１０が設けられている。図３３のように、本体１００の取付部６５０，６７０が第１保持位置ＰＬ１まで差し込まれて仮圧着された状態では、各端子バネ７３０は接触端子１０１０には接触しておらず、これによって、図２の保持部のチューブ内に位置している図３１に示すバッテリ９００からは電源が供給されてはいない。しかも図２のイヤーホンＥＲ，ＥＬも本体１００に対しては電気的に接続されていない。そして、第１接続部分１０６の図１０と図１２に示す情報交換端子部６００も本体１００側には接続されていない。
【００５５】
しかし、図３４に示すように、本体１００の取付部６５０，６７０がさらにＷ方向に押し込まれると、端子バネ７３０は対応する接触端子１０１０に対して弾性力を以て電気的に接続される。これにより、図２のイヤーホンＥＲ，ＥＬは、本体１００に対して連結部７００を介して電気的に接続される。同様にして図３１のバッテリ９００も、連結部７００を介して本体１００側に電気的に接続されて電源供給が開始する。そして図３１の情報交換端子部６００の各端子も、連結部７００を介して本体１００側に電気的に接続される。
このように、使用者が本体１００の取付部６５０，６７０を、図３３の第１保持位置ＰＬ１から図３４の第２保持位置ＰＬ２に押し込むことで、本体１００の電源スイッチ等のスイッチ機能を果たす。このために、従来用いられているスライドスイッチや押し込むタイプ等の電源スイッチが不要であり、本体１００の小型化を図ることができる。
【００５６】
次に、図３７は、図１の入力装置１８と本体１００の各要素の電気的な接続例を示している。筐体１２の中には、キー入力専用のマイクロコンピュータ８０と、統括制御用のマイクロコンピュータ８４及びたとえば任意の音楽情報を記憶するための記憶部であるメモリ８６を有している。
マイクロコンピュータ８０，８４及びメモリ８６、音楽情報増幅出力部８８は、回路ユニット９０Ｒを構成しており、この回路ユニット９０Ｒは、図１５の回路基板１７０に配置されている。
【００５７】
コンピュータ８０は、上述した図１５のシート状のスイッチ部１４０のスイッチ接点部５０〜５４に接続されている。
マイクロコンピュータ８０は、統括制御用のマイクロコンピュータ８４に接続されている。メモリ８６は統括制御用のマイクロコンピュータ８４に接続されている。マイクロコンピュータ８４はマイクロコンピュータ８０、メモリ８６及び音声増幅出力部８８をコントロールする。
【００５８】
マイクロコンピュータ８４は、音楽情報増幅出力部８８に接続されている。この音楽情報増幅出力部８８は、マイクロコンピュータ８４を介してメモリ８６から送られてくる音楽情報を増幅して、たとえばイヤーホンＥＲ，ＥＬの出力部９２に供給する。この出力部９２を用いることで、使用者は音楽情報を聞き取ることができる。
この出力部９２から出力される音楽情報は、音楽の他にその他の種類の音声情報等であってももちろんかまわない。
【００５９】
図３７の記憶部としてのメモリ８６は、たとえば半導体メモリやその他の種類のメモリを採用することができる。このメモリ８６は、回路ユニット９０に固定されていてもよく、あるいは回路ユニット９０から着脱可能に取り外すことも可能にしてもよい。このメモリ８６に対して、たとえば図３７の情報交換端子部６００を介して外部のコンピュータ１０００から音楽情報等をダウンロードしたり、インターネットのような通信ネットワークを介して直接音楽情報等の情報を書き込むことが可能である。
半導体メモリとしては、たとえばフラッシュメモリ、Ｄ−ＲＡＭ（Ｄｙｎａｍｉｃ  ｒａｎｄｏｍ  ａｃｃｅｓｓ  ｍｅｍｏｒｙ）、Ｓ−ＲＡＭ（Ｓｔａｔｉｃ  ｒａｎｄｏｍ  ａｃｃｅｓｓ  ｍｅｍｏｒｙ）等である。他の種類のメモリとしてはハードディスク等である。
【００６０】
図３８は、図３７のマイクロコンピュータ８０とスイッチ接点部５０ないし５４の接続例を示している。図３８では、スイッチ接点部５０ないし５４は、ｋｅｙ０ないしｋｅｙ４と示している。
これらのスイッチ接点部５０ないし５４は、図３８に示すようにマイクロコンピュータ８０のポートＰ１０ないしＰ１４に接続されている。マイクロコンピュータ８０のポートＰ２０は、スイッチ接点部５０ないし５４の共通の電極６８に接続されている。
【００６１】
マイクロコンピュータ８０の出力部８７は、図３８（Ａ）のように、マイクロコンピュータ８０の内部処理で決定した入力キーコードに対応した電圧を出力させることもできる。そのようなキーコードの例及びその出力電圧比の例は図３８（Ａ）に示している。
【００６２】
図３８（Ａ）の入力キーコードＶＯＬ＋は、図３７の音楽情報増幅出力部８８の音量が増大する機能を有しており、出力電圧比は０．５である。入力キーコードＶＯＬ−は音量が減少していく機能を示しており、出力電圧比は０．５７である。
入力キーコードＳＴＯＰは、音楽情報の再生を停止する機能を示しており、出力電圧比は０．５９である。入力キーコードＰＬＡＹ／ＦＦは、図３７のメモリ８６から音楽情報を出力部９２側に出力する場合及び音楽情報を早送りする機能の例を示しており、その場合には出力電圧比は０．７３であり、入力キーコードＲＥＷは図３７のメモリ８６の音楽情報の再生位置を戻す機能を示しており、出力電圧比は０．９である。
ここで、出力電圧比の定義としては、
出力電圧＝出力電圧比×Ｖｃｃ
である。このＶｃｃは基準電圧であり、たとえば５Ｖである。
【００６３】
図３９は、図３８の入力装置１８のキー入力操作例を示している。図４０は、入力キーコードの決定テーブルの例を示している。
たとえば図３９においてキー入力があったかどうかを、ステップＳＰ１００において、スイッチ接点部５０ないし５４が検出すると、ステップＳＰ１２０において図４０に示すような入力キーコードを設定する。
【００６４】
図４０における入力キーコードの決定テーブルの例では、図４０（Ａ）のはじめにオンになったキー（スイッチの接点部）の欄と、図４０（Ｂ）の現在オンとなったキー（スイッチの接点部）、及び図４０（Ｃ）の入力キーコードの適用例を示している。
【００６５】
入力キーコード決定テーブルでは、図４０の（Ｄ）、（Ｅ）、（Ｆ）の欄を含んでいる。
図４０（Ｄ）の欄では、図４０（Ａ）のはじめにオンになったキーと現在オンになったキーの組み合わせにより、各種の入力キーコードを示している。たとえばはじめにオンになったキーがｋｅｙ０であり、一定時間内に現在オンとなったキーがｋｅｙ０である場合、すなわち同じキーが一定時間内に２度押された場合には、入力キーコードはＶＯＬ＋（音量が増加方向）となる。
また、はじめにオンになったキーがｋｅｙ１であり、一定時間以内に現在オンとなったキーが同じｋｅｙ１の場合には、入力キーコードは無効になる。同様に、はじめにオンとなったキーがｋｅｙ３であり、一定時間内に現在オンとなったキーがｋｅｙ３の場合には、やはり入力キーコードは無効になる。
【００６６】
はじめにオンになったキーがｋｅｙ２で、一定時間内に現在オンとなったキーがｋｅｙ２である場合には、入力キーコードはストップ（音楽情報の再生が停止）であり、初めにオンになったキーがｋｅｙ４で、一定時間内に現在オンとなったキーがｋｅｙ４である場合には、入力キーコードはＶＯＬ−（音量が減少方向）である。
【００６７】
図４０（Ｅ）の欄では、初めにオンになったキーと一定時間内に現在オンとなったキーの組み合わせが異なる場合に、入力キーコードがＰＬＡＹ／ＦＦの機能を発揮する。たとえばはじめにオンになったキーがｋｅｙ０であり、一定時間内に現在オンとなったキーがｋｅｙ１の場合には、入力キーコードはＰＬＡＹ（音楽情報の再生操作）／ＦＦ（音楽情報の再生位置の先送り操作）となる。
【００６８】
図４０の（Ｅ）の欄では、初めにオンになったキーが、現在オンとなったキーよりも小さいキー番号である場合であるが、図４０の（Ｆ）では、はじめにオンになったキーの番号が現在オンになったキーの番号よりも大きい場合である。この場合には入力キーコードがＲＥＷ（音楽情報の再生位置を戻す操作）になる。たとえばはじめにオンになったキーがｋｅｙ４である場合に、一定時間内に現在オンとなったキーがｋｅｙ３である場合には、入力キーコードはＲＥＷになる。
【００６９】
図４１は、入力キーコードの決定シーケンスの例を示している。
図４１（Ａ）の場合には、図３８のマイクロコンピュータ８０は、そのポートＰ１０ないしＰ１４の状態を見て、ポートＰ１０ないしＰ１４のどれがオンになっているかを判定して、はじめにオンであったキーとして設定する。
当然のことながら、人がキーを押す意志がないのにキーが押されたと誤認してしまわないように、また外部からの電磁波ノイズの混入などによってキーが押されたと判断されないように、チャタリング除去、ノイズ除去などのソフトウェア処理がポートの読みとり時には内部的に実施されている。
その後、図４１（Ｂ）〜（Ｄ）に示す態様でスイッチがもう一度押されることにより、すなわちたとえば一定時間内に再びどれかのキーが押される。
【００７０】
図４１（Ｂ）では、同一のキーが一定時間内にオンされた場合には、図４０（Ｄ）に示す入力キーコードを発揮する。
【００７１】
図４１（Ｃ）のように隣のキーがオンされた状態では、図１７（Ｅ）あるいは図４０（Ｆ）の組み合わせにより入力キーコード、ＰＬＡＹ／ＦＦあるいはＲＥＷの機能を設定することになる。
図４１（Ｄ）は、それ以外のキーコード操作例の場合であり、その場合には、初めてオンになったキーの機能を無視して、新たに現在オンになったキーを初めにオンであったキーとして設定する。この場合には、図４０（Ａ）の初めにオンになったキーが押されてから、一定時間経過してしまったのちに現在オンになったキーが押された場合の例である。
【００７２】
次に、図１の電子機器１０の使用操作例について説明する。
まず使用者Ｈは、保持部１０１の図２に示す分割部１０５の第１接続部分１０６と第２接続部分１０７をマグネットの磁力に抗して離すことにより、保持部１０１を首ＨＳに掛ける。保持部１０１を掛けると、本体１００は図１と図２に示すような方向に沿って本体保持部分１０３から自重により垂れ下がっている。つまり本体１００の入力装置１８とスリット部分４０は、ほぼ垂直方向あるいは使用者Ｈの身長方向に沿って下がっている。これにより、使用者は指Ｆをほぼ垂直方向に沿ってＸ１，Ｘ２方向に移動するだけで入力装置１８のキートップ３０〜３４を容易に選択して触れることができる。
使用者ＨはイヤーホンＥＲとＥＬをそれぞれ耳Ｅに装着する。この場合にイヤーホンＥＲ，ＥＬの図２に示す接続線１０２Ａ，１０２Ｂは、接続線ホルダー１０９，１０９Ａから取り外す。
【００７３】
使用者Ｈが電子機器１０の使用を開始する時には、図３３に示すように本体１００の取付部６５０，６７０は、本体保持部分１０３の連結部７００に対して第１保持位置ＰＬ１に位置している。すなわち、クランパ用の板バネ７７０は、本体１００の第１凹部６５６，６７６に嵌まり込んでいる。そしてレセプタクル８５０の接触端子１０１０は端子バネ７３０には接触していない。
つまり本体１００側には図３１に示すバッテリ９００からは電源供給されておらず、情報交換端子部６００も本体１００に対しては電気的に接続されておらず、そしてオーディオ端子も本体１００側には接続されていない。
【００７４】
使用者が、図１の本体保持部分１０３を本体１００側に押すと、すなわち図３４に示すようにＷ方向に押し込むと、クランプ用の板バネ７７０は本体１００の第２凹部６５８と６７８に嵌まり込む。これによって、本体１００は本体保持部分１０３において第２保持位置ＰＬ２に位置決めされることで、各端子バネ７３０は対応する本体１００側の接触端子９００に電気的に接触する。
これによって、本体１００には図３１のバッテリ９００から電源供給されるとともに、情報交換端子部６００が本体１００側に電気的に接続され、オーディオ端子も本体１００側に電気的に接続されることになる。これによって、使用者は本体１００側から音楽情報等の情報をイヤーホンＥＲ，ＥＬを介して耳Ｅ，Ｅにより聞くことができる。
【００７５】
使用者が指を用いて、図１のようにスリット部分４０の長手方向Ｘ１あるいはその逆方向のＸ２方向に沿って移動して、キートップ３０〜３４を順に押すか、もしくは１つのキートップのみを押す。
この場合に、図３に示すスリット部分４０が、指１２の腹をキートップ３０ないし３４のいずれかに確実に案内することができるので、使用者の指は確実にキートップに触れることができる。しかも、スリット部分４０が指の腹の一部分を支えることから、指の腹がシート状のスイッチ部１４０に対して無用な力を与えずにすむので、シート状のスイッチ部１４０およびスイッチ接点部５０ないし５４の性能を低下させることを防ぐことができる。
【００７６】
たとえば、図４０に示すように、使用者が図１の操作用のキートップ３０を一定時間内に複数回、たとえば２回押した場合には、図４０（Ｄ）において、図３８のマイクロコンピュータ８０は図３７の別のマイクロコンピュータ８４に対して入力キーコードＶＯＬ＋を示す制御信号を送ることになる。これにより、マイクロコンピュータ８４は音楽情報増幅出力部８８に制御信号を与えることで、出力部９２から出力される音楽情報の音量を上げる。
【００７７】
図４０（Ｅ）のたとえば操作用のキートップ３０（ｋｅｙ０）を押した後に、一定時間内に操作用のキートップ３１（ｋｅｙ１）を押すことにより、入力キーコードとしてはＰＬＡＹ／ＦＦを発揮するので、ＰＬＡＹ／ＦＦの制御信号は図３７のマイクロコンピュータ８０からマイクロコンピュータ８４に送られる。このことからマイクロコンピュータ８４は出力部９２からメモリ８６内の音楽情報を再生するかあるいは再生位置を先送りすることができる。先送り操作により、次の楽曲に頭出しすることができる。
【００７８】
図４０（Ｆ）のたとえば操作用のキートップ３４（ｋｅｙ４）と操作用のキートップ３３（ｋｅｙ３）を一定時間内に操作することにより、マイクロコンピュータ８０は入力キーコードＲＥＷの機能を発揮する。これにより図３７のマイクロコンピュータ８０はマイクロコンピュータ８４に対してＲＥＷの制御信号を与えるので、マイクロコンピュータ８４は、メモリ８６の音楽情報をある再生位置まで戻す。
【００７９】
このように、使用者が指により複数のキートップ３０ないし３４のうちの任意の数のキートップに順次触れる場合に、スリット部分４０の長手方向に沿ってＸ１方向あるいはその反対方向のＸ２の方向にスライドしていくだけで確実に触れることができる。しかもわずかな数の操作用のキートップ３０ないし３４を設けるだけで、図４０に示すような各種の機能を使用者の指による簡単な操作により選択することができる。このような使用の場合における入力キーコードの決定テーブルは、たとえば図２の筐体１２の裏面に表示しておくことができる。
【００８０】
ところで本発明は上記実施の形態に限定されるものではなく、各種の変形を行うことができる。
図３７に示すマイクロコンピュータ８０と８４は、１つのマイクロコンピュータで構成してもよい。
図１に示す電子機器１０は、携帯型の音楽再生装置である。この電子機器は、腕に付けたり身体の他の部位に装着するようにしてもよい。
【００８１】
また本発明の電子機器は、このような音楽あるいは音楽情報の再生装置等の電子機器に限らず、音楽情報の記録再生装置にも適用することができる。また本発明の電子機器は音楽情報の記録再生に限らず、画像及び音声の記録再生装置、あるいは画像及び音声情報の再生装置等にも適応することができる。
本発明の電子機器は、上述した実施の形態に限らず、他の種類又は他の分野の電子機器にも対応することができる。
【００８２】
ところで、図１に示すように使用者Ｈが電子機器１０の使用を終了すると、使用者はイヤーホンＥの図２に示す接続線１０２Ａ，１０２Ｂを接続線ホルダー１０９，１０９Ａに保持する。これにより保持部１０１からイヤーホンＥＲ，ＥＬが剥がれずに、保持部１０１の取り扱い性が向上する。そして使用者Ｈは図２に示す分割部１０５の第１接続部分１０６と第２接続部分１０７からマグネットの磁力に抗して取り外す。これにより保持部１０１は首ＨＳから簡単に取り除くことができる。
【００８３】
本体１００の図１４に示すメモリ８６、マイクロコンピュータ８０，８４に対してはバッテリ９００から電源供給できる。これは上述したような本体保持部分１０３を図３４の第２保持位置ＰＬ２に保持することで行うことができる。
図３７のメモリ８６に対して外部のコンピュータ１０００から情報交換端子部６００を介して新たな音楽情報等をダウンロードする場合には、情報交換端子部６００を外部のコンピュータ１０００に接続する。そしてコンピュータ１０００側から新たな音楽情報等を情報交換端子部６００を介してマイクロコンピュータ８０にダウンロードすることで、メモリ８６にコンピュータ８４を介してダウンロードすることができる。このようにダウンロード用の情報交換端子部６００を保持部１０１に内蔵し、情報交換端子部６００の接続線をチューブ１０４Ａ，１０４Ｃに内蔵することにより、保持部１０１の構造を簡単にして、取り扱いを容易にすることができる。
【００８４】
また図３１に示したように、バッテリ９００は、図２に示すチューブ１０４Ｃ，１０４Ｄ，１０４Ａ，１０４Ｂの任意の位置に内蔵することができる。このようにすることで、保持部１０１の構造を簡単化して取り扱いの容易性を確保することができる。保持部１０１の中には、バッテリ、情報交換端子部６００の接続線およびイヤーホンＥＬの接続線の一部を内蔵することで、電子機器の外観形状の簡単化を図るとともに、外観上の美観を向上させることができる。
【００８５】
図３３，３４では、本体保持部分１０３を本体１００に対して第１保持位置ＰＬ１から第２保持位置ＰＬ２に移動することで、本体１００の電源投入等の電源スイッチの役割を果たしている。
しかし、これに限らず図３３の第１保持位置ＰＬ１の状態で、情報交換端子部から外部のコンピュータより音楽情報等の情報を本体１００にダウンロードできるように図３３の端子バネ７３０と接触端子９００の一部を接触させる構造としてもよい。この場合には、本体１００に対してバッテリからの電源供給やイヤーホンに対する電気的な接続は行わない。
【００８６】
上述したような電子機器を採用することで、本体１００の小型化を図ることができる。すなわち、バッテリやイヤーホン等は本体に設けずに、本体とは別の保持部に内蔵したり保持部から導き出すようにすることで、本体には記憶部等だけを収納することができるからである。
バッテリは保持部内に内蔵することで、バッテリの存在を使用者Ｈが意識することはないので、ウエアラブル化を図ることができ、電子機器の装着感に優れている。外部のコンピュータから本体１００に対して情報のダウンロードが容易であり、バッテリと本体１００の分割を行うことができる。
【００８７】
また図３１のバッテリ９００は、たとえば図２の第１接続部分１０６と第２接続部分１０７に外部から充電するための充電用の端子を設けることで、簡単に外部から充電することができる。
図３８のように、入力装置１８とスリット部分４０は、筐体１２の長手方向に形成してもよい。また、図３６（Ｂ）のように入力装置１８とスリット部分４０は筐体１２の側面に形成してもよい。
【００８８】
【発明の効果】
以上説明したように、本発明によれば、携帯して使用する際に情報を簡単に聴取することができ小型化を図ることができる。
【図面の簡単な説明】
【図１】本発明の電子機器を使用している状態を示す図。
【図２】図１の電子機器の正面図。
【図３】電子機器の本体および本体保持部分を示す斜視図。
【図４】電子機器の保持部から導出されているイヤーホンの接続線の例を示す図。
【図５】イヤーホンの接続線の接続線ホルダーの例を示す斜視図。
【図６】図２のＡ１−Ａ１線とＡ２−Ａ２線におけるチューブの断面図。
【図７】図２のＢ１−Ｂ１線とＢ２−Ｂ２線におけるチューブの断面図。
【図８】保持部の首に掛ける部分の分割部を示す平面図。
【図９】分割部の正面図。
【図１０】分割部の第１接続部分の内部構造例を示す図。
【図１１】分割部の第２接続部分の断面図。
【図１２】第１接続部分の断面図。
【図１３】本体の構造例を示す断面図。
【図１４】図１３の部分Ｃを示す拡大図。
【図１５】本体のシート状のスイッチを中心に示す断面図。
【図１６】シート状のスイッチの電極構造例を示す図。
【図１７】シート状のスイッチの平面図。
【図１８】上部筐体部分の平面図。
【図１９】上部筐体部分の内面図。
【図２０】上部筐体部分の側面側の図。
【図２１】上部筐体部分の別の側面側を示す図。
【図２２】下部筐体部分の内面図。
【図２３】下部筐体部分の側面側を示す図。
【図２４】下部筐体部分の別の側面側を示す図。
【図２５】シート状のスイッチ部と回路基板の接続例を示す図。
【図２６】図２５で使われている電気接続部の構造例を示す図。
【図２７】本体と本体保持部分の正面図。
【図２８】本体と本体保持部分の背面図。
【図２９】本体と本体保持部分の別の側面を示す図。
【図３０】本体保持部分を示す図。
【図３１】本体保持部分の内部構造およびチューブ内に内蔵されている様子を示す図。
【図３２】本体保持部分の内部構造を示す別の断面図。
【図３３】本体保持部分の連結部に対して本体が第１保持位置に保持された様子を示す図。
【図３４】本体が連結部に対して第２保持位置に位置決めされた様子を示す図。
【図３５】本体側のレセプタクルの構造を示す図。
【図３６】レセプタクルの構造を示す側面図。
【図３７】本体の要素の接続例を示す図。
【図３８】本体のマイクロコンピュータと入力装置の関係例を示す図。
【図３９】キー入力操作の例を示す図。
【図４０】入力キーコードの決定テーブルの例を示す図。
【図４１】入力キーコードの決定シーケンスの例を示す図。
【符号の説明】
１０・・・電子機器、１８・・・入力装置、３０〜３４・・・キートップ、１００・・・本体、１０１・・・保持部、１０２・・・聴取部、１０３・・・本体保持部分、１０４Ａ〜１０４Ｄ・・・チューブ、１０５・・・分割部、１０６・・・第１接続部分、１０７・・・第２接続部分、１４０・・・シート状のスイッチ部、６００・・・情報交換端子部、ＥＬ，ＥＲ・・・イヤーホン、ＰＬ１・・・第１保持位置、ＰＬ２・・・第２保持位置
【図１】
0004411707.tif 000002
【図２】
0004411707.tif 000003
【図３】
0004411707.tif 000004
【図４】
0004411707.tif 000005
【図５】
0004411707.tif 000006
【図６】
0004411707.tif 000007
【図７】
0004411707.tif 000008
【図８】
0004411707.tif 000009
【図９】
0004411707.tif 000010
【図１０】
0004411707.tif 000011
【図１１】
0004411707.tif 000012
【図１２】
0004411707.tif 000013
【図１３】
0004411707.tif 000014
【図１４】
0004411707.tif 000015
【図１５】
0004411707.tif 000016
【図１６】
0004411707.tif 000017
【図１７】
0004411707.tif 000018
【図１８】
0004411707.tif 000019
【図１９】
0004411707.tif 000020
【図２０】
0004411707.tif 000021
【図２１】
0004411707.tif 000022
【図２２】
0004411707.tif 000023
【図２３】
0004411707.tif 000024
【図２４】
0004411707.tif 000025
【図２５】
0004411707.tif 000026
【図２６】
0004411707.tif 000027
【図２７】
0004411707.tif 000028
【図２８】
0004411707.tif 000029
【図２９】
0004411707.tif 000030
【図３０】
0004411707.tif 000031
【図３１】
0004411707.tif 000032
【図３２】
0004411707.tif 000033
【図３３】
0004411707.tif 000034
【図３４】
0004411707.tif 000035
【図３５】
0004411707.tif 000036
【図３６】
0004411707.tif 000037
【図３７】
0004411707.tif 000038
【図３８】
0004411707.tif 000039
【図３９】
0004411707.tif 000040
【図４０】
0004411707.tif 000041
【図４１】
0004411707.tif 000042